【手続補正書】
【提出日】令和3年6月2日(2021.6.2)
【手続補正１】
【補正対象書類名】特許請求の範囲
【補正対象項目名】全文
【補正方法】変更
【補正の内容】
【特許請求の範囲】
【請求項１】
時分割デュプレックス（ＴＤＤ）無線通信システムにおいて、端末がＨＡＲＱ−ＡＣＫを送信する方法であって、
それぞれがＰＤＳＣＨをスケジューリングする少なくとも１つの下りリンク（ＤＬ）グラントを受信するステップと、
上りリンクサブフレームｎにおいて、前記少なくとも１つのＤＬグラントに基づいて、前記上りリンクサブフレームｎと関連する下りリンクサブフレームの集合に対するＨＡＲＱ−ＡＣＫ情報を送信するステップと、を含み、
前記少なくとも１つのＤＬグラントを受信するステップは、
ｉ）第１プロセッシング時間に基づいた前記上りリンクサブフレームｎと関連する下りリンクサブフレームの第１集合内のＤＬグラント、及びｉｉ）前記第１プロセッシング時間より短い第２プロセッシング時間に基づいた同一の上りリンクサブフレームｎと関連する下りリンクサブフレームの第２集合内のＤＬグラントの受信を期待しないことに基づいて、前記第１プロセッシング時間と前記第２プロセッシング時間の１つに基づいて、前記上りリンクサブフレームｎと関連する前記下りリンクサブフレームの集合内の前記少なくとも１つのＤＬグラントを受信するステップを含む、送信方法。
【請求項２】
前記上りリンクサブフレームｎにおいて、前記少なくとも１つのＤＬグラントに基づいて前記ＨＡＲＱ−ＡＣＫ情報を送信するステップは、
前記第２プロセッシング時間で設定されない前記端末に基づいて、
（ｉ）前記下りリンクサブフレームの第１集合内の少なくとも１つのＤＬグラント、及び（ｉｉ）前記下りリンクサブフレームの第１集合に関連したＰＵＣＣＨリソースの第１集合に基づいて、前記ＨＡＲＱ−ＡＣＫ情報を送信するステップと、
前記第２プロセッシング時間で設定される前記端末に基づいて、
（ｉ）下りリンクサブフレームの第３集合内の少なくとも１つのＤＬグラント、及び（ｉｉ）前記下りリンクサブフレームの第３集合に関連したＰＵＣＣＨリソースの第３集合に基づいて、前記ＨＡＲＱ−ＡＣＫ情報を送信するステップと、を含み、
前記下りリンクサブフレームの第３集合は、（ｉ）前記下りリンクサブフレームの第１集合に属する少なくとも１つの下りリンクサブフレーム、及び（ｉｉ）前記下りリンクサブフレームの第２集合を含み、
前記下りリンクサブフレームの第２集合は、前記下りリンクサブフレームの第１集合の一部ではなく、
前記ＰＵＣＣＨリソースの第３集合は、（ｉ）前記下りリンクサブフレームの第１集合に属する前記少なくとも１つの下りリンクサブフレームに基づく少なくとも１つの第１ＰＵＣＣＨリソース、及び（ｉｉ）前記下りリンクサブフレームの第２集合に基づく少なくとも１つの第２ＰＵＣＣＨリソースを含み、
前記少なくとも１つの第１ＰＵＣＣＨリソースは、前記ＰＵＣＣＨリソースの第１集合に属し、前記少なくとも１つの第２ＰＵＣＣＨリソースは、前記第１ＰＵＣＣＨリソースと異なり、前記ＰＵＣＣＨリソースの第１集合に属さない、請求項１に記載の送信方法。
【請求項３】
前記第１プロセッシング時間は４サブフレームであり、前記第２プロセッシング時間は３サブフレームである、請求項２に記載の送信方法。
【請求項４】
前記上りリンクサブフレームｎと関連した前記下りリンクサブフレームの第１集合は、下りリンクサブフレームｎ−ｘを含み、
ｘ∈Ｘであり、Ｘは、以下の表
【表１】
2019525652.tif 000001
で定義されるＭ個の要素｛ｘ０、ｘ１、．．．、ｘＭ−１｝の集合である、請求項２又は３に記載の送信方法。
【請求項５】
前記下りリンクサブフレームの第２集合のうち、前記下りリンクサブフレームの第１集合に属さない前記少なくとも１つの下りリンクサブフレームは、下りリンクサブフレームｎ−ｙを含み、
ｙ∈Ｙであり、Ｙは、以下の表
【表２】
2019525652.tif 000002
で定義されるＬ個の要素｛ｙ０、ｙ１、．．．、ｙＬ−１｝の集合である、請求項２〜４のいずれか一項に記載の送信方法。
【請求項６】
時分割デュプレックス（ＴＤＤ）無線通信システムにおいて、ＨＡＲＱ−ＡＣＫを送信するための端末であって、
送信機及び受信機と、
プロセッサーと、
メモリと、を含み、
前記メモリは、前記プロセッサーに、
それぞれがＰＤＳＣＨをスケジューリングする少なくとも１つの下りリンク（ＤＬ）グラントを受信し、
上りリンクサブフレームｎにおいて、前記少なくとも１つのＤＬグラントに基づいて、前記上りリンクサブフレームｎと関連する下りリンクサブフレームの集合に対するＨＡＲＱ−ＡＣＫ情報を送信することを含む動作を実行させる少なくとも１つのプログラムを格納し、
前記少なくとも１つのＤＬグラントを受信することは、
ｉ）第１プロセッシング時間に基づいた前記上りリンクサブフレームｎと関連する下りリンクサブフレームの第１集合内のＤＬグラント、及びｉｉ）前記第１プロセッシング時間より短い第２プロセッシング時間に基づいた同一の上りリンクサブフレームｎと関連する下りリンクサブフレームの第２集合内のＤＬグラントの受信を期待しないことに基づいて、前記第１プロセッシング時間と前記第２プロセッシング時間の１つに基づいて、前記上りリンクサブフレームｎと関連する前記下りリンクサブフレームの集合内の前記少なくとも１つのＤＬグラントを受信することを含む、端末。
【請求項７】
前記上りリンクサブフレームｎにおいて、前記少なくとも１つのＤＬグラントに基づいて前記ＨＡＲＱ−ＡＣＫ情報を送信することは、
前記第２プロセッシング時間で設定されない前記端末に基づいて、
（ｉ）前記下りリンクサブフレームの第１集合内の少なくとも１つのＤＬグラント、及び（ｉｉ）前記下りリンクサブフレームの第１集合に関連したＰＵＣＣＨリソースの第１集合に基づいて、前記ＨＡＲＱ−ＡＣＫ情報を送信することと、
前記第２プロセッシング時間で設定される前記端末に基づいて、
（ｉ）下りリンクサブフレームの第３集合内の少なくとも１つのＤＬグラント、及び（ｉｉ）前記下りリンクサブフレームの第３集合に関連したＰＵＣＣＨリソースの第３集合に基づいて、前記ＨＡＲＱ−ＡＣＫ情報を送信することと、を含み、
前記下りリンクサブフレームの第３集合は、（ｉ）前記下りリンクサブフレームの第１集合に属する少なくとも１つの下りリンクサブフレーム、及び（ｉｉ）前記下りリンクサブフレームの第２集合を含み、
前記下りリンクサブフレームの第２集合は、前記下りリンクサブフレームの第１集合の一部ではなく、
前記ＰＵＣＣＨリソースの第３集合は、（ｉ）前記下りリンクサブフレームの第１集合に属する前記少なくとも１つの下りリンクサブフレームに基づく少なくとも１つの第１ＰＵＣＣＨリソース、及び（ｉｉ）前記下りリンクサブフレームの第２集合に基づく少なくとも１つの第２ＰＵＣＣＨリソースを含み、
前記少なくとも１つの第１ＰＵＣＣＨリソースは、前記ＰＵＣＣＨリソースの第１集合に属し、前記少なくとも１つの第２ＰＵＣＣＨリソースは、前記第１ＰＵＣＣＨリソースと異なり、前記ＰＵＣＣＨリソースの第１集合に属さない、請求項６に記載の端末。
【請求項８】
前記第１プロセッシング時間は４サブフレームであり、前記第２プロセッシング時間は３サブフレームである、請求項７に記載の端末。
【請求項９】
前記上りリンクサブフレームｎと関連した前記下りリンクサブフレームの第１集合は、下りリンクサブフレームｎ−ｘを含み、
ｘ∈Ｘであり、Ｘは、以下の表
【表３】
2019525652.tif 000003
で定義されるＭ個の要素｛ｘ０、ｘ１、．．．、ｘＭ−１｝の集合である、請求項７又は８に記載の端末。
【請求項１０】
前記下りリンクサブフレームの第２集合のうち、前記下りリンクサブフレームの第１集合に属さない前記少なくとも１つの下りリンクサブフレームは、下りリンクサブフレームｎ−ｙを含み、
ｙ∈Ｙであり、Ｙは、以下の表
【表４】
2019525652.tif 000004
で定義されるＬ個の要素｛ｙ０、ｙ１、．．．、ｙＬ−１｝の集合である、請求項７〜９のいずれか一項に記載の端末。
【請求項１１】
時分割デュプレックス（ＴＤＤ）無線通信システムにおいて、基地局がＨＡＲＱ−ＡＣＫを受信する方法であって、
それぞれがＰＤＳＣＨをスケジューリングする少なくとも１つの下りリンク（ＤＬ）グラントを端末に送信するステップと、
上りリンクサブフレームｎにおいて、前記少なくとも１つのＤＬグラントに基づいて、前記上りリンクサブフレームｎと関連する下りリンクサブフレームの集合に対するＨＡＲＱ−ＡＣＫ情報を前記端末から受信するステップと、を含み、
前記少なくとも１つのＤＬグラントを送信するステップは、
ｉ）第１プロセッシング時間に基づいた前記上りリンクサブフレームｎと関連する下りリンクサブフレームの第１集合内のＤＬグラント、及びｉｉ）前記第１プロセッシング時間より短い第２プロセッシング時間に基づいた同一の上りリンクサブフレームｎと関連する下りリンクサブフレームの第２集合内のＤＬグラントを送信することを前記基地局が許可されない状態において、前記第１プロセッシング時間と前記第２プロセッシング時間の１つに基づいて、前記上りリンクサブフレームｎと関連する前記下りリンクサブフレームの集合内の前記少なくとも１つのＤＬグラントを送信するステップを含む、受信方法。
【請求項１２】
前記上りリンクサブフレームｎにおいて、前記少なくとも１つのＤＬグラントに基づいて前記ＨＡＲＱ−ＡＣＫ情報を受信するステップは、
前記第２プロセッシング時間で設定されない前記端末に基づいて、
（ｉ）前記下りリンクサブフレームの第１集合内の少なくとも１つのＤＬグラント、及び（ｉｉ）前記下りリンクサブフレームの第１集合に関連したＰＵＣＣＨリソースの第１集合に基づいて、前記ＨＡＲＱ−ＡＣＫ情報を受信するステップと、
前記第２プロセッシング時間で設定される前記端末に基づいて、
（ｉ）下りリンクサブフレームの第３集合内の少なくとも１つのＤＬグラント、及び（ｉｉ）前記下りリンクサブフレームの第３集合に関連したＰＵＣＣＨリソースの第３集合に基づいて、前記ＨＡＲＱ−ＡＣＫ情報を受信するステップと、を含み、
前記下りリンクサブフレームの第３集合は、（ｉ）前記下りリンクサブフレームの第１集合に属する少なくとも１つの下りリンクサブフレーム、及び（ｉｉ）前記下りリンクサブフレームの第２集合を含み、
前記下りリンクサブフレームの第２集合は、前記下りリンクサブフレームの第１集合の一部ではなく、
前記ＰＵＣＣＨリソースの第３集合は、（ｉ）前記下りリンクサブフレームの第１集合に属する前記少なくとも１つの下りリンクサブフレームに基づく少なくとも１つの第１ＰＵＣＣＨリソース、及び（ｉｉ）前記下りリンクサブフレームの第２集合に基づく少なくとも１つの第２ＰＵＣＣＨリソースを含み、
前記少なくとも１つの第１ＰＵＣＣＨリソースは、前記ＰＵＣＣＨリソースの第１集合に属し、前記少なくとも１つの第２ＰＵＣＣＨリソースは、前記第１ＰＵＣＣＨリソースと異なり、前記ＰＵＣＣＨリソースの第１集合に属さない、請求項１１に記載の受信方法。
【請求項１３】
時分割デュプレックス（ＴＤＤ）無線通信システムにおいて、ＨＡＲＱ−ＡＣＫを受信するための基地局であって、
送信機及び受信機と、
プロセッサーと、
メモリと、を含み、
前記メモリは、前記プロセッサーに、
それぞれがＰＤＳＣＨをスケジューリングする少なくとも１つの下りリンク（ＤＬ）グラントを端末に送信し、
上りリンクサブフレームｎにおいて、前記少なくとも１つのＤＬグラントに基づいて、前記上りリンクサブフレームｎと関連する下りリンクサブフレームの集合に対するＨＡＲＱ−ＡＣＫ情報を前記端末から受信することを含む動作を実行させる少なくとも１つのプログラムを格納し、
前記少なくとも１つのＤＬグラントを送信することは、
ｉ）第１プロセッシング時間に基づいた前記上りリンクサブフレームｎと関連する下りリンクサブフレームの第１集合内のＤＬグラント、及びｉｉ）前記第１プロセッシング時間より短い第２プロセッシング時間に基づいた同一の上りリンクサブフレームｎと関連する下りリンクサブフレームの第２集合内のＤＬグラントを送信することを前記基地局が許可されない状態において、前記第１プロセッシング時間と前記第２プロセッシング時間の１つに基づいて、前記上りリンクサブフレームｎと関連する前記下りリンクサブフレームの集合内の前記少なくとも１つのＤＬグラントを送信することを含む、基地局。
【請求項１４】
前記上りリンクサブフレームｎにおいて、前記少なくとも１つのＤＬグラントに基づいて前記ＨＡＲＱ−ＡＣＫ情報を受信することは、
前記第２プロセッシング時間で設定されない前記端末に基づいて、
（ｉ）前記下りリンクサブフレームの第１集合内の少なくとも１つのＤＬグラント、及び（ｉｉ）前記下りリンクサブフレームの第１集合に関連したＰＵＣＣＨリソースの第１集合に基づいて、前記ＨＡＲＱ−ＡＣＫ情報を受信することと、
前記第２プロセッシング時間で設定される前記端末に基づいて、
（ｉ）下りリンクサブフレームの第３集合内の少なくとも１つのＤＬグラント、及び（ｉｉ）前記下りリンクサブフレームの第３集合に関連したＰＵＣＣＨリソースの第３集合に基づいて、前記ＨＡＲＱ−ＡＣＫ情報を受信することと、を含み、
前記下りリンクサブフレームの第３集合は、（ｉ）前記下りリンクサブフレームの第１集合に属する少なくとも１つの下りリンクサブフレーム、及び（ｉｉ）前記下りリンクサブフレームの第２集合を含み、
前記下りリンクサブフレームの第２集合は、前記下りリンクサブフレームの第１集合の一部ではなく、
前記ＰＵＣＣＨリソースの第３集合は、（ｉ）前記下りリンクサブフレームの第１集合に属する前記少なくとも１つの下りリンクサブフレームに基づく少なくとも１つの第１ＰＵＣＣＨリソース、及び（ｉｉ）前記下りリンクサブフレームの第２集合に基づく少なくとも１つの第２ＰＵＣＣＨリソースを含み、
前記少なくとも１つの第１ＰＵＣＣＨリソースは、前記ＰＵＣＣＨリソースの第１集合に属し、前記少なくとも１つの第２ＰＵＣＣＨリソースは、前記第１ＰＵＣＣＨリソースと異なり、前記ＰＵＣＣＨリソースの第１集合に属さない、請求項１３に記載の基地局。